(57)【特許請求の範囲】
【請求項１】
金型により成形される車両用樹脂成形品であって、
成形時に生じる分割線の発生領域に形成される溝部を有し、
前記溝部の幅は、前記分割線の幅よりも広く、かつ、前記溝部の長さは、前記分割線の長さと一致し、
前記分割線は、全長に亘って前記溝部の底部に形成され、前記溝部の底部から前記溝部の深さを超えない高さで設けられ、
車両取付後に車体に当接されると共に前記車体により被覆される当接部を有し、
前記当接部に対して前記溝部及び前記分割線が形成されている
ことを特徴とする車両用樹脂成形品。
【請求項２】
車両取付後に外部から視認可能な意匠部を有していることを特徴とする請求項１記載の車両用樹脂成形品。
【発明の詳細な説明】
【技術分野】
【０００１】
本発明は、車両用樹脂成形品に関するものである。
【背景技術】
【０００２】
例えば、車両のフロント、バックドア及びドアフレームには、特許文献１に示されているように、樹脂成形品が取り付けられている。このような樹脂成形品は、特許文献１に示すように、金型によって樹脂を成形することによって形成されている。
【先行技術文献】
【特許文献】
【０００３】
【特許文献１】特開平６−３９８６９号公報
【発明の概要】
【発明が解決しようとする課題】
【０００４】
周知のように、樹脂成形品は、金型のキャビティに対して溶融樹脂材料を流し込み、この溶融樹脂材料を冷却することによって形成される。ここで、冷却後の樹脂成形品を金型から容易に取り外せるよう、金型の一部に対して押上ブロックを設ける場合がある。このような押上ブロックは、冷却後の樹脂成形品を押し上げることによって、樹脂成形品を金型から剥離させる。
【０００５】
しかしながら、このような押上げブロックの存在に起因して、樹脂成形品の表面に分割線（入れ子線とも言う）が形成されてしまう。押上ブロックは、樹脂成形品を剥離させるときに、金型の他の部位（例えばコア型）に対して移動する。このため、押上ブロックと金型の他の部位との間には僅かな隙間や段差が生じる。このような隙間や段差は極めて微小であるものの、溶融樹脂材料が流れ込むことにより分割線を生じさせることになる。なお、この分割線は、押上ブロックを設ける場合のみならず、スライド金型を設けた場合にも、スライド金型と他の部位との間に生じる隙間や段差によって発生する。
【０００６】
このような分割線は、本来であれば溶融樹脂材料が流れ込まない領域に流れ込むことによって形成されるものであり、周囲の面に対して僅かに突出した形状となる。このような分割線が生じた樹脂成形品をそのままにして車体に対して取り付けると、取付時に分割線が車体に当たり、車体の塗装面等を傷つける場合がある。特に、樹脂成形品に対してめっき処理を施した場合には、分割線上に金属層が形成され、突出量が増大するため、より車体を傷つける可能性が高まる。このため、分割線を取り除く平坦化処理や保護テープを貼付等の後加工が必要となっており、組立作業の効率悪化を招いている。
【０００７】
本発明は、上述する問題点に鑑みてなされたもので、金型により成形される車両用樹脂成形品でおいて、成形後の後加工を行うことなく取付時の車体への損傷を防止可能とすることを目的とする。
【課題を解決するための手段】
【０００８】
本発明は、上記課題を解決するための手段として、以下の構成を採用する。
【０００９】
第１の発明は、金型により成形される車両用樹脂成形品であって、成形時に生じる分割線の発生領域に形成される溝部を有するという構成を採用する。
【００１０】
第２の発明は、上記第１の発明において、車両取付後に外部から視認可能な意匠部と、車両取付後に車体に当接されると共に上記車体により被覆される当接部とを有し、上記当接部に対して上記溝部及び上記分割線が形成されているという構成を採用する。
【００１１】
第３の発明は、上記第１または第２の発明において、上記分割線が、全長に亘って上記溝部の底部に形成されているという構成を採用する。
【発明の効果】
【００１２】
本発明によれば、分割線の発生領域に溝部が設けられている。このため、分割線が溝部の内部に形成されることになり、分割線が周囲の面から突出することを防止することができる。このような本発明の車両用樹脂成形品を車体に対して取り付ける場合には、分割線が周囲の面から突出しないことから、分割線が車体に当たることを防止することができる。したがって、分割線によって車体が傷つくことを防止することができる。よって、本発明によれば、成形後の後加工を行うことなく取付時の車体への損傷を防止することができる。
【図面の簡単な説明】
【００１３】
【図１】本発明の一実施形態におけるフロント用外装パーツの概略構成を示す図であり、（ａ）が斜視図であり、（ｂ）が（ａ）のＡ−Ａ線断面図である。
【図２】本発明の一実施形態におけるフロント用外装パーツの成形を行う金型の一部を概略的に示す縦断面図である。
【図３】本発明の一実施形態におけるフロント用外装パーツの成形を行う金型が有する押上ブロックとフロント用外装パーツとの関係を模式的に示す図であり、図２の矢印Ｂ方向から見た矢視図である。
【図４】図２の矢印Ｃ方向から見た矢視図である。
【図５】本発明の一実施形態におけるフロント用外装パーツを車体に対して取り付ける場合の動作説明図である。
【発明を実施するための形態】
【００１４】
以下、図面を参照して、本発明に係る車両用樹脂成形品の一実施形態について説明する。なお、以下の図面において、各部材を認識可能な大きさとするため、各部材の縮尺を適宜変更している。また、以下の実施形態では、本発明の車両用樹脂成形品をフロント用外装パーツに適用した例について説明を行う。
【００１５】
図１は、本実施形態のフロント用外装パーツ１（車両用樹脂成形品）の概略構成を示す図であり、（ａ）が斜視図であり、（ｂ）が（ａ）のＡ−Ａ線断面図である。これらの図に示すように、本実施形態のフロント用外装パーツ１は、長尺状の部品であり、長手方向を水平にして車体のフロントに対して取り付けられる。このような本実施形態のフロント用外装パーツ１は、本体部２と、当該本体部２を車体Ｘ（図１（ｂ）参照）に接続する接続部３とを有している。
【００１６】
本体部２は、図１（ａ）及び図１（ｂ）に示すように、フロント用外装パーツ１を車体Ｘに対して取り付けた場合に、外部から視認できる部位である意匠部２ａと、外部から視認されない部位である当接部２ｂとに分けることができる。意匠部２ａは、図１（ｂ）に示すように、平板状の中央部２ａ１と、当該中央部２ａ１の両端（図１（ｂ）における上下両端）に接続されると共に中央部２ａ１から車体Ｘ側に屈曲するように設けられる端部２ａ２とを有しており、断面形状が略Ｕの字状とされている。
【００１７】
当接部２ｂは、意匠部２ａが有する２つの端部２ａ２のうち１つ（図１（ｂ）における下側の端部２ａ２）に対して、当該端部２ａ２を延長するように接続されている。この当接部２ｂの厚さは、意匠部２ａの端部２ａ２と略同一とされている。また当接部２ｂの長さは、フロント用外装パーツ１の全長と一致する長さとされている。この当接部２ｂは、フロント用外装パーツ１を車体Ｘに対して取り付けた場合に、車体Ｘに対して当接する部位であり、車体Ｘに被覆されることによって外部から視認することできない。
【００１８】
また、当接部２ｂは、溝部２ｂ１と、分割線２ｂ２とを有している。溝部２ｂ１は、当接部２ｂの表面（図１（ｂ）の下面）であって分割線２ｂ２の発生領域に形成されている。この溝部２ｂ１は、分割線２ｂ２が全長に亘って溝部２ｂ１の底部に形成されるように幅及び長さが設定されている。つまり、溝部２ｂ１の幅は、分割線２ｂ２の幅よりの広く設定されている。また、溝部２ｂ１の長さは、分割線２ｂ２の長さと一致するように設定されている。なお、図１（ａ）に示すように、分割線２ｂ２は、当接部２ｂに対して２本形成されている。このため、溝部２ｂ１は、各々の分割線２ｂ２の発生領域に設けられることによって２つ設けられている。分割線２ｂ２は、本実施形態のフロント用外装パーツ１の成形時に余剰物として生じる直線状の突出部である。本実施形態のフロント用外装パーツ１において分割線２ｂ２は、溝部２ｂ１の底部に発生しており、溝部２ｂ１の底部から溝部２ｂ１の深さを超えない高さで設けられている。
【００１９】
このような意匠部２ａと当接部２ｂとからなる本体部２の表面には、必要に応じてメッキ処理が施される。本体部２の表面に対してメッキ処理が施されることによって、外部から視認される領域に金属調の光沢が付与される。これによって、本実施形態のフロント用外装パーツ１が取り付けられた車両の外観デザインが向上される。
【００２０】
接続部３は、意匠部２ａの中央部２ａ１の裏面より車体Ｘ側に延在するプレート状の部位である。この接続部３は、本体部２の長手方向に複数設けられている。これらの接続部３は、車体Ｘに対して固定される部位であり、本体部２を車体Ｘに対して接続する。
【００２１】
次に、上述のような構成を有する本実施形態のフロント用外装パーツ１の製造方法について説明する。
【００２２】
図２は、本実施形態のフロント用外装パーツ１の成形を行う金型１０の一部を概略的に示す縦断面図である。図２に示すように、金型１０は、固定金型１１と、可動金型１２と、押上ブロック１３とを備えている。固定金型１１と可動金型１２とは、対向配置されている。可動金型１２は、不図示の移動機構により、固定金型１１に対して接離可能とされている。これらの固定金型１１と可動金型１２とは、当接した場合に、その境界部分にフロント用外装パーツ１の形状とされたキャビティが形成されるよう、形状設定されている。
【００２３】
押上ブロック１３は、可動金型１２に埋設されるように設けられており、不図示の押上げ機構によって昇降可能とされている。この押上ブロック１３は、図２に示すように、フロント用外装パーツ１の当接部２ｂを下方から支えかつ両側から挟むように略Ｕ字状に形状設定されている。
【００２４】
また、図３は、押上ブロック１３とフロント用外装パーツ１との関係を模式的に示す図であり、図２の矢印Ｂ方向から見た矢視図である。この図に示すように、押上ブロック１３は、フロント用外装パーツ１の長手方向における中央部のみに設けられている。つまり、フロント用外装パーツ１の長手方向において、中央部にのみ押上ブロック１３が設けられ、その周囲は可動金型１２となっている。
【００２５】
また、図４は、図２の矢印Ｃ方向から見た矢視図である。この図に示すように、可動金型１２と押上ブロック１３とには、フロント用外装パーツ１に溝部２ｂ１を形成するための突出部１４を有している。この突出部１４は、押上ブロック１３の端部に設けられた凸部１４ａと、可動金型１２の端部（押上ブロック１３の端部と当接する部位）に設けられた凸部１４ｂとが合わさることによって形成されている。このような突出部１４は、図４に示すように、可動金型１２と押上ブロック１３との境界を含むように設けられており、当該境界によって生じる分割線２ｂ２の発生領域に溝部２ｂ１を形成する。
【００２６】
なお、図示していないが、固定金型１１には射出成形機との位置決めを行うロケートリングや、キャビティに供給される溶融樹脂材料を案内するスプール等の周知の機構が設けられている。
【００２７】
このような金型１０によって本実施形態のフロント用外装パーツ１を形成する場合には、固定金型１１と可動金型１２とを当接させてキャビティを形成し、このキャビティに溶融樹脂材料を供給する。その後、溶融樹脂材料を冷却して固化させることによって成形する。このように溶融樹脂材料を固化させることによってフロント用外装パーツ１の形状が作られる。そして、溶融樹脂材料が固化された後に、可動金型１２を固定金型１１から離間させ、可動金型１２に貼り付いたフロント用外装パーツ１を押上ブロック１３を押し上げることによって可動金型１２から剥離する。これによってフロント用外装パーツ１が形成される。なお、その後の必要に応じて、フロント用外装パーツ１にメッキ処理等が行われる。
【００２８】
以上のような本実施形態のフロント用外装パーツ１は、図５に示すように、当接部２ｂの下にして、当接部２ｂを車体Ｘに対して摺動あるいは近接させた状態で移動することによって車体Ｘに対して取り付けられる。
【００２９】
ここで、本実施形態のフロント用外装パーツ１においては、当接部２ｂの分割線２ｂ２の発生領域に溝部２ｂ１が設けられている。このため、分割線２ｂ２が溝部２ｂ１の内部に形成されることになり、分割線２ｂ２が当接部２ｂの表面から突出することを防止することができる。このような本実施形態のフロント用外装パーツ１を車体Ｘに対して取り付ける場合には、分割線２ｂ２が当接部２ｂの表面から突出しないことから、分割線２ｂ２が車体Ｘに当たることを防止することができる。したがって、分割線２ｂ２によって車体Ｘが傷つくことを防止することができる。よって、本実施形態のフロント用外装パーツ１によれば、成形後において分割線２ｂ２に対する後加工を行うことなく取付時の車体Ｘへの損傷を防止することができる。
【００３０】
また、本実施形態のフロント用外装パーツ１においては、本体部２が、車両取付後に外部から視認可能な意匠部２ａと、車両取付後に車体Ｘに当接されると共に車体Ｘにより被覆される当接部２ｂとを有している。また、この本体部２において、当接部２ｂに対して溝部２ｂ１及び分割線２ｂ２が形成されている。このような本実施形態のフロント用外装パーツ１によれば、車体Ｘへの取付後に外部から視認されることのない当接部２ｂに対して溝部２ｂ１が形成されている。したがって、溝部２ｂ１が車両の外観デザインに影響を与えることを防止することができる。
【００３１】
また、本実施形態のフロント用外装パーツ１においては、分割線２ｂ２が、全長に亘って溝部２ｂ１の底部に形成されている。このため、分割線２ｂ２が一部も当接部２ｂの表面から突出しておらず、より確実に車体Ｘへの損傷を防止することができる。
【００３２】
以上、添付図面を参照しながら本発明の好適な実施形態について説明したが、本発明は上記実施形態に限定されないことは言うまでもない。上述した実施形態において示した各構成部材の諸形状や組み合わせ等は一例であって、本発明の趣旨から逸脱しない範囲において設計要求等に基づき種々変更可能である。
【００３３】
例えば、上記実施形態においては、本発明の車両用樹脂成形品がフロント用外装パーツ１である構成について説明した。しかしながら、本発明はこれに限定されるものではなく、他の車両用樹脂成形品に適用可能である。例えば、バックドアフィニッシャやサッシュカバーに本発明の車両用樹脂成形品を適用することも可能である。
【００３４】
また、上記実施形態においては、分割線２ｂ２が、可動金型１２と押上ブロック１３との境界によって生じる例について説明した。しかしながら、本発明はこれに限定されるものではなく、金型１０がスライドを有している場合には可動金型１２とスライドとの境界によって生じる分割線の突出を防止するために溝部を設ける構成に適用することも可能である。
【００３５】
また、上記実施形態においては、２本の分割線２ｂ２の各々に対して溝部２ｂ１を形成する構成について説明した。しかしながら、例えばさらに多数の分割線２ｂ２を有し、全ての分割線２ｂ２に対して溝部２ｂ１を設ける構成を採用することも可能である。ただし、複数の分割線が存在する場合に、必ずしも全ての分割線に対して溝部を設ける必要はない。例えば、車両用樹脂成形品の車体への取付時に、車体に対して接触する心配のない部位に形成される分割線に対しては、溝部を設けなくとも良い。このように、車体に対して接触する心配がある分割線のみに溝部を設けることによって、溝部の数を減少させ、例えば金型の形状を単純化することが可能となる。
【符号の説明】
【００３６】
１……フロント用外装パーツ（車両用樹脂成形品）、２……本体部、２ａ……意匠部、２ｂ……当接部、２ｂ１……溝部、２ｂ２……分割線、３……接続部、１０……金型、１１……固定金型、１２……可動金型、１３……押上ブロック、１４……突出部、Ｘ……車体
【図１】
0006379054.tif 000002
【図２】
0006379054.tif 000003
【図３】
0006379054.tif 000004
【図４】
0006379054.tif 000005
【図５】
0006379054.tif 000006